(57)【要約】      （修正有）【課題】建設現場や工事現場等における広大な面積の足場構造体の外面の養生シートを有効に利用して、優れた宣伝広告機能を発揮せしめる足場養生シート構造体を提供する。【解決手段】建設中または修繕中の建物または構造物の外壁に取り付ける足場構造体の外表面に対して横方向に周回させて取り付けた少なくとも１つの周回養生シート１２０と、足場構造体２００に対して縦方向に係止した少なくとも１つの係止養生シート１１０を備えた足場養生シート構造体１００である。周回養生シート１２０により足場構造体２００が外周方向からしっかりと緊締され、足場構造体の構造強度を向上させることができる。係止養生シート１１０の表面に印刷を施し、係止養生シート１１０を表示媒体として利用することもできる。【選択図】図１
0003217936.tif 000002
【実用新案登録請求の範囲】
【請求項１】
建設中または修繕中の建物または構造物の外壁に取り付ける足場構造体の外表面に対して横方向に周回させて取り付けた少なくとも１つの周回養生シートと、前記足場構造体に対して縦方向に係止した少なくとも１つの係止養生シートを備えたことを特徴とする足場養生シート構造体。
【請求項２】
前記係止養生シートの表面に印刷を施し、前記足場構造体に取り付けた状態において被覆状態にある前記係止養生シートを表示媒体とした請求項１に記載の足場養生シート構造体。
【請求項３】
前記表示媒体に表示する前記印刷が、前記建物の完成外観である請求項１または２に記載の足場養生シート構造体。
【請求項４】
前記表示媒体に表示する前記印刷が、広告である請求項１または２に記載の足場養生シート構造体。
【請求項５】
前記足場構造体において被覆が必要な箇所に対して、前記周回養生シートと前記係止養生シートが重ならないように被覆せしめ、前記周回養生シートと前記係止養生シートのつなぎ目において両者を締結し、相互に重量の一部を分散せしめたことを特徴とする請求項１から４のいずれかに記載の足場養生シート構造体。
【請求項６】
前記足場構造体において被覆が必要な箇所に対して、前記周回養生シートの一部と前記係止養生シートの少なくとも一部が重なるように被覆せしめ、前記周回養生シートと前記係止養生シートを締結し、相互に重量の一部を分散せしめたことを特徴とする請求項１から４のいずれかに記載の足場養生シート構造体。
【請求項７】
前記周回養生シートが、前記足場構造体において上部付近に取り付けられたことを特徴とする請求項１から６のいずれかに記載の足場養生シート構造体。
【請求項８】
前記周回養生シートが複数取り付けられたものであり、前記係止養生シートが複数の前記周回養生シートの内面または外面に沿わせて取り付けられていることを特徴とする請求項１から６のいずれかに記載の足場養生シート構造体。
【考案の詳細な説明】
【技術分野】
【０００１】
本考案は、建設中または修繕中の建物の外壁、高速道路などの構造物の外壁に取り付ける足場構造体を被覆して養生せしめた足場養生シート構造体に関する。
特に、足場養生シートの表面に印刷を施し、キャンバスのように表示媒体として利用することができる足場養生シートに関する。建設中の建物等の完成予想図を表示したり、企業や行政の広告などを表示したりすることも可能である。
【背景技術】
【０００２】
従来、建設中または修繕中の建物の外壁や高速道路などの構造物の外壁に対して、足場構造体を取り付け、さらにその外周を養生シートで被覆する工法が普及している。養生シートで被覆することにより、建設部材や外壁塗料などの落下防止、飛散防止、騒音抑制を行い、周囲の環境に及ぼすことを最小限にする。
【０００３】
一般の建築工事用養生シートは、合成繊維糸を編んでシート状に加工されており、強度向上等のために樹脂加工をされているものもある。養生シートの素材に対して端部を二重化するなど補強した上、ハト目を取り付けたものが多い。一般には、養生シートの大きさは、幅１．８ｍ程度に揃えられたものが多い。建築現場では、養生シートを多数つなぎ合わせ、建築現場の足場構造体で被覆したい箇所の大きさにつなげて建築物を囲っていた。
【０００４】
従来の建築工事用養生シートにおいては、比較的小さな養生シートを上下左右につなげて使用するため、建築現場における設置作業に手間が掛かって設置コストが高くなることが問題であった。
従来の建築工事用養生シートにおいて、長さ方向の長さ方向高強度用の合成繊維糸に対して、シート幅方向に帯状に延びる幅方向の幅方向高強度用の合成繊維糸を織り合わせて引張強度を向上させて長尺状に形成するなどの工夫が行われていた。
【０００５】
この建築工事用養生シートでは長尺の長さ方向を上下方向となるように設計して調達することができる。つまり、上下方向に関しては一気通貫に長尺であるが幅が１．８ｍのシートで被覆し、横方向には当該幅１．８ｍの長尺シートを複数並べてつなぎ合わせ、建築現場の足場構造体を覆う工法が普及している。横方向につなぎ合わせる養生シートのつなぎ間はハト目の結束部に紐等の結束手段を挿通して互いに接続することにより建築物を囲むように被覆する。
このように基本的には上下方向に関しては１枚のみで済み、縦方向に接続する作業工数を大幅に低減することができるため、建築現場において養生シートをつなげる手間を減少し、養生シートの設置コストを低減できるものである。
【０００６】
【特許文献１】特開２００３−１３８７５９号
【考案の開示】
【考案が解決しようとする課題】
【０００７】
足場養生シートは大規模なものであれば、建設現場や工事現場で相当大きな面積となるため、表示媒体としては絶大な効果が見込める。本考案は、建設現場や工事現場の足場構造体の表面に取り付ける養生シートを広告や完成予想図などの表示媒体として利用することを目指す。
逆に、養生シートに何も表示せずに無模様であればきわめて無機質な印象を与えるものであり、近隣住民に与える殺伐とした雰囲気は周囲の環境をより悪化させてしまうことにもつながる。
【０００８】
ここで、上記した従来の建設現場や工事現場用の養生シートにおいて、その引張強度を向上させるために長さ方向の長さ方向高強度用の合成繊維糸を使用し、マンションなどの高さの高い建築物に対して高さに見合う長尺の養生シートを用いるとすると、養生シートの総重量が大きくなる傾向にあった。養生シートの総重量が大きくなってしまい、足場構造体の強度を補強しなければならず、また、養生シート自体の引張強度も大きくしなければならない。
足場養生シートのデザインは、宣伝広告効果を大きくするため、様々に工夫されている。例えば、カラーを多用する、字を大きくする、字に強調線を入れる、キャラクターを書き込むなど様々な工夫が施されている。そのため、印刷塗料の総量も大きくなり、建設現場や工事現場用の養生シートの総重量がさらに大きくなってしまう。
大規模マンションや高速道路などの大規模建設物であれば、被覆する面積が大きく、高さの高い建設物であれば係止する養生シートの重量は相当大きいものとなる。
【０００９】
本考案は、このような事情に鑑みてなされたもので、総重量が大きくなる傾向にある建設現場や工事現場等における足場構造体の養生シートの強度を向上せしめ、簡単な工法にて取り付け可能な養生シート構造体を提供することを目的とする。
また、本考案の養生シート構造体において、建設現場や工事現場等における広大な面積の足場構造体の外面の養生シートを有効に利用して、優れた宣伝広告機能を発揮せしめるものとすることを目的とする。
【課題を解決するための手段】
【００１０】
上記目的を達成するため、本考案に係る養生シート構造体は、建設中または修繕中の建物または構造物の外壁に取り付ける足場構造体と、前記足場構造体に対して横方向に周回させて取り付けた少なくとも１つの周回養生シートと、前記足場構造体に対して縦方向に係止し、かつ、前記周回養生シートの内面または外面に沿わせて取り付けた少なくとも１つの係止養生シートを備えたことを特徴とするものである。
【００１１】
上記構成により、建設中または修繕中の建物または構造物の外壁の足場構造体に対して横方向に周回させて取り付けた周回養生シートを設けることにより、構造強度を向上させることができる。縦方向に長尺の係止養生シートを係止したものを周回養生シートの内面または外面に沿わせて取り付けるため、養生シートの強度が向上する。つまり、足場構造体を係止養生シートにより被覆せしめ、周回養生シートにより係止養生シートの重量の一部を分散することができる。
【００１２】
周回養生シートの位置としては、足場構造体の上部付近に取り付けても良いが、足場構造体において離隔して複数取り付けることも可能である。複数の周回養生シートに沿わせて係止養生シートを取り付けることができれば、さらに重量の分散が可能となる。
また、周回養生シートを設けることにより、係止養生シートの周回方向の抑えも効くため、縦方向に長尺の係止養生シートを係止したものを周回養生シートによって周回方向につなぎ留める効果もある。
【００１３】
養生シートに表示する印刷としては、建物の完成外観がある。
また、例えば、養生シートに表示する印刷としては、企業の広告や行政の告知や標語などがある。
このように、係止養生シートの表面に印刷を施しておけば、足場構造体に取り付けた状態において被覆状態にある係止養生シートを表示媒体として利用することができる。建設現場や工事現場等において広大な面積となる養生シートを広告等の表示媒体として利用することができ、優れた宣伝広告機能を発揮せしめることができる。
【考案の効果】
【００１４】
本考案の足場養生シート構造体によれば、建設中または修繕中の建物または構造物の外壁の足場構造体に対して横方向に周回させて取り付けた周回養生シートを設けることにより、構造強度を向上させることができ、係止養生シートの重量の一部を分散することができる。
また、本考案の足場養生シート構造体によれば、建設現場や工事現場等において広大な面積となる養生シートを広告等の表示媒体として利用することができ、優れた宣伝広告機能を発揮せしめることができる。
【図面の簡単な説明】
【００１５】
【図１】実施例にかかる本考案を適用した養生シート構造体１００の構成例を示す図である。
【図２】養生シート構造体１００の第１の張設方法を簡単に示した図である。
【図３】養生シート構造体１００の第２の張設方法を簡単に示した図である。
【図４】養生シート構造体１００の外表面に印刷を適用した場合の足場養生シート構造体１００の構成例を示す図である。
【図５】実施例２にかかる本考案を適用した養生シート構造体１００の構成例を示す図である。
【図６】実施例２にかかる養生シート構造体１００の第１の張設方法を簡単に示した図である。
【図７】実施例２にかかる養生シート構造体１００の第２の張設方法を簡単に示した図である。
【図８】実施例２にかかる養生シート構造体１００の外表面に印刷を適用した場合の足場養生シート構造体１００の構成例を示す図である。
【図９】実施例３にかかる本考案の係止養生シート１００を簡単に示す図である。
【図１０】実施例３にかかる本考案の係止養生シート１００の周回養生シート１２０と係止養生シート１１０をまたがる形で印刷を行った例を示す図である。
【考案を実施するための最良の形態】
【００１６】
以下、図面を参照しつつ、本考案にかかる養生シート構造体の実施形態を説明する。ただし、本考案の技術的範囲は以下の実施形態に示した具体的な用途や形状・寸法などには限定されない。
以下、実施例１では、足場構造体において被覆が必要な箇所に対して、周回養生シートと係止養生シートが重ならないように被覆せしめ、周回養生シートと係止養生シートのつなぎ目において両者を締結する工法を説明する。
実施例２では、足場構造体において被覆が必要な箇所に対して、周回養生シートと係止養生シートの少なくとも一部が重なるように被覆せしめ、周回養生シートと係止養生シートの両者を締結する工法を説明する。
実施例３では周回養生シートを複数枚設ける工法を説明する。
【実施例１】
【００１７】
実施例１として足場構造体において被覆が必要な箇所に対して、周回養生シートと係止養生シートが重ならないように被覆せしめ、周回養生シートと係止養生シートのつなぎ目において両者を締結する工法を説明する。
図１は実施例１にかかる本考案を適用した養生シート構造体１００の構成例を示す図である。
図１に示すように、足場養生シート構造体１００は、係止養生シート１１０、周回養生シート１２０を備えている。図１には足場構造体２００、建物または構造物３００も併せて示している。
【００１８】
建物または構造物３００は、建設中または修繕中の建物または構造物であり、例えば、マンション構造体、ビルディング構造体、高速道路の橋脚や橋梁体、スタジアム構造物などの特殊構造体など、多様なものがあり得る。建設中のもののみならず、大規模修繕中のものも含まれ得る。
【００１９】
足場構造体２００は、建物または構造物３００の外壁面などに確保された建設工事の足場であり、特に限定されない。素材もアルミニウムなどの金属製、硬質プラスチックなどの樹脂製など多様なものがあり得る。
【００２０】
足場養生シート構造体１００は、足場構造体２００の外表面を被覆するように張設されたシート状の幕体であるが、本考案では周回養生シート１２０と係止養生シート１１０の組み合わせとなっている。
係止養生シート１１０は、足場構造体２００の外表面に対して縦方向に係止し、取り付けたシート材である。その数は限定されないが、係止養生シート１１０を何本も係止することにより横方向に拡張し、建設中の建物の外周を囲繞するように取り付けることができる。
１つの係止養生シート１１０の幅は限定されないが、例えば、１．８ｍとすることができる。建設中の建物の幅が２０ｍあれば、１面を被覆するために１２個の係止養生シート１１０により被覆することができる。
【００２１】
次に、周回養生シート１２０は、足場構造体２００の外表面に対して横方向に周回させて取り付けたシート材である。周回養生シート１２０としては少なくとも１つ設けられている。複数設けられた例は実施例３において後述する。
このように、周回養生シート１２０によって足場構造体２００が外周方向からしっかりと緊締されるため、足場構造体２００の構造強度を向上させることができる。
【００２２】
周回養生シート１２０の長さ（周回方向の長さ）は限定されないが、例えば建設中の建物の外周全長を覆う長さが必要である。建設中の建物の幅が２０ｍ、奥行きが１０ｍであれば、外周全長は単純計算で６０ｍとなるため、周回養生シート１２０の長さ（周回方向の長さ）は少なくとも６０ｍは必要となる。周回養生シート１２０の幅（高さ方向の長さ）は特に限定されないが、例えば、１．８ｍとすることができる。
【００２３】
周回養生シート１２０の足場構造体２００への取り付け方法について説明する。周回養生シート１２０は足場構造体２００に対して係止片（図示せず）を介して取り付けるが、図１の例では、足場構造体２００の最上部あたりに係止片を介して取り付けた例となっている。足場構造体２００と周回養生シート１２０との間に弛みや緩みが無いように、足場構造体２００の外周面に対して隙間なく張設することが好ましい。
【００２４】
係止養生シート１１０、周回養生シート１２０の素材としては、特に限定されず丈夫で防水性があるものであれば良い。例えば、合成樹脂製のメッシュ、合成繊維、天然繊維を使用することができる。合成樹脂としては、例えば、ポリオレフィン系樹脂、ポリエステル系樹脂、ポリアミド系樹脂、ポリウレタン系樹脂、塩化ビニル系樹脂等が挙げられる。これらの樹脂は単独で用いてもよいし、複数種を混合した混合物として用いてもよい。合成繊維としては、例えば、ポリエステル、ポリアミド、ポリウレタン等の合成繊維、アセテート等の半合成繊維、レーヨン等の再生繊維がある。綿、麻等の天然繊維も適用可能である。
【００２５】
次に、係止養生シート１１０の足場構造体２００への取り付け方法について説明する。
係止養生シート１１０は、足場構造体２００に対して係止片（図示せず）を介して取り付けるが、足場構造体２００において周回養生シート１２０と係止養生シート１１０が重ならないように被覆せしめる。図１の例では、足場構造体２００の最上部あたりに周回養生シート１２０が水平方向に巻かれており、係止養生シート１１０は周回養生シート１２０の下縁あたりから係止片を介して取り付けた例となっている。つまり、周回養生シート１２０と係止養生シート１１０が重なっていない。
なお、張設に際しては、足場構造体２００と係止養生シート１１０との間に弛みや緩みが無いように、足場構造体２００の外周面に対して隙間なく張設することが好ましい。
【００２６】
ここで係止養生シート１１０と周回養生シート１２０との張設方法には２通りある。
第１の張設方法は、先に係止養生シート１１０を足場構造体２００に対して係止して取り付けた後、後から周回養生シート１２０を張設する方法である。
図２は、この第１の張設方法を簡単に示したものである。ここで、先に係止養生シート１１０を足場構造体２００に対して係止して取り付けるが、この際に係止養生シート１１０を足場構造体２００の全体ではなく、図２（ａ）に示すように、周回養生シート１２０を張設する部分を空けて足場構造体２００を係止する。次に、図２（ｂ）に示すように、周回養生シート１２０を足場構造体２００の上部付近に巻き付けて張設する。この際、周回養生シート１２０を張設する部分を空けてあるので、周回養生シート１２０と係止養生シート１１０が重ならないように被覆される。
周回養生シート１２０の下縁と係止養生シート１１０の上縁は近接しているので、そのつなぎ目において両者を係止具などで締結し、相互に重量の一部を分散させることができる。
このように周回養生シート１２０と係止養生シート１１０が重ならないように被覆するので、養生シートの総量は増加しないので、養生シート全体の重量の増加を抑制することができる。
この手順により、図２に示したような足場構造体２００に対する足場養生シート構造体１００を張設することができる。
【００２７】
第２の張設方法は、先に周回養生シート１２０を足場構造体２００に対して周回させて取り付けた後、周回養生シート１２０の下縁あたりから係止養生シート１１０を下方向に張設する方法である。
図３は、この第２の張設方法を簡単に示したものである。図３（ａ）に示すように、先に周回養生シート１２０を足場構造体２００の上部付近に周回させて取り付けた後、図３（ｂ）に示すように、係止養生シート１１０を周回養生シート１２０の下縁あたりから下方向に張設する。
ここでも周回養生シート１２０の下縁と係止養生シート１１０の上縁は近接しているのでつなぎ目において両者を係止具などで締結するので、両者に適度なテンションを掛けて張設することができる。
この手順により、図３に示したような足場構造体２００に対する足場養生シート構造体１００を張設することができる。
【００２８】
このように、養生シートのうち周回養生シート１２０が含まれることにより、足場構造体２００が外周方向からしっかりと緊締され、足場構造体の構造強度を向上させることができる。
また、周回養生シート１２０と係止養生シート１１０のつなぎ目において両者を係止しているので、風などにより係止養生シート１１０が波打ったり揺れたりするのを防止する効果も得られる。
【００２９】
次に、本考案の係止養生シート１００の表面に印刷を施し、足場構造体２００に取り付けた状態において被覆状態にある係止養生シート１００を表示媒体として利用する点について説明する。
上記したように、本考案の係止養生シート１００は、周回養生シート１２０および係止養生シート１１０の素材としては、合成樹脂製のメッシュ、合成繊維、天然繊維を使用することができる。そのため、印刷を施すことが可能である。印刷方法も限定されないが、例えば、スクリーン印刷、オフセット印刷、インクジェット印刷などがある。また、今後の印刷技術の発展に伴い、利用可能となる印刷技術を用いても良い。また、熱転写シートを用いて印刷内容をカッティングにより形成しておき、熱転写シートに要求される温度で加熱することにより、熱転写する印刷も可能である。なお、周回養生シート１２０および係止養生シート１１０の素材が熱に弱く、熱転写時に周回養生シート１２０および係止養生シート１１０の一部が溶融したり変形したりするような素材である場合は、熱転写シートによる印刷は採用できない。
【００３０】
なお、本考案の係止養生シート１００は、大面積の場合が多いと想定され、また、視認される場合も比較的遠距離からと想定されるため、印刷ピッチの精度は通常の印刷精度よりも粗くても良い場合が多いと考えられる。周回養生シート１２０および係止養生シート１１０の素材が合成樹脂製のメッシュ生地であったとしても、表示媒体となり得る場合が多いと想定される。
【００３１】
図４は、養生シート構造体１００の外表面に印刷を適用した場合の足場養生シート構造体１００の構成例を示す図である。図４に示す例では印刷の内容そのものは図示を省略している。
実施例１のタイプは足場構造体２００の被覆箇所に対して周回養生シート１２０と係止養生シート１１０が重ならないように被覆されているので凹凸がなく、あたかも１つの平面を形成するように印刷できる。
表示媒体として表示する印刷内容としては、建物の完成外観、企業などの広告など特に限定されない。
このように、足場養生シートを表示媒体に利用して各種の宣伝広告を行うことができ、本来の防音・防塵効果を発揮することに加え、視認性、訴求力の大きな有効な宣伝広告機能を発揮するとともに、周囲の環境を破壊することなく、積極的に周囲の環境美化に貢献することができる。
【実施例２】
【００３２】
実施例２として、足場構造体において被覆が必要な箇所に対して、周回養生シートと係止養生シートの少なくとも一部が重なるように被覆せしめ、周回養生シートと係止養生シートの両者を締結するタイプのものである。
図５は実施例２にかかる本考案を適用した養生シート構造体１００の構成例を示す図である。
図５に示すように、足場養生シート構造体１００は、係止養生シート１１０、周回養生シート１２０を備えているが、周回養生シート１２０が係止養生シート１１０と重なっている。図５（ｂ）の平面図においても周回養生シート１２０が係止養生シート１１０に重なっていることが分かる。
実施例２は、取り付け工法において周回養生シート１２０が係止養生シート１１０と重なっている点を除けば、構成要素としての係止養生シート１１０、周回養生シート１２０自体は実施例１と同様で良く、ここではそれらの詳しい説明を省略する。
【００３３】
次に、実施例２にかかる係止養生シート１１０の足場構造体２００への取り付け方法について説明する。
係止養生シート１１０は、足場構造体２００の上端付近に係止養生シート１１０を係止して被覆せしめる。足場構造体２００と係止養生シート１１０との間に弛みや緩みが無いように、足場構造体２００の外周面に対して隙間なく張設することが好ましい。図５の例では、足場構造体２００の最上部あたりに周回養生シート１２０が水平方向に巻かれている。
【００３４】
ここで係止養生シート１１０と周回養生シート１２０との張設方法には２通りある。
第１の張設方法は、先に係止養生シート１１０を足場構造体２００に対して係止して取り付けた後、後から周回養生シート１２０を張設する方法である。
図６は、この第１の張設方法を簡単に示したものである。図６（ａ）に示すように、先に係止養生シート１１０を足場構造体２００に対して係止して取り付ける。この際に足場構造体２００の外周全体がカバーされるように取り付ける。次に、図６（ｂ）に示すように、周回養生シート１２０を係止養生シート１１０の上から足場構造体２００の上部付近に巻き付けて張設する。ここで、周回養生シート１２０が係止養生シート１１０を周回しやすいよう、１か所に基端、終端となる隙間を設けておき、当該隙間から周回養生シート１２０を一周させて再度当該隙間から取り込み、両端をしっかりと緊締することにより周回養生シート１２０を張設すれば良い。
【００３５】
このように、養生シートのうち周回養生シート１２０が含まれることにより、足場構造体２００が外周方向からしっかりと緊締され、足場構造体の構造強度を向上させることができる。
また、周回養生シート１２０と係止養生シート１１０は重なるので、適宜両者を係止具などで締結することができ、締結により相互に重量の一部を分散させることができる。
この手順により、図５に示したような足場構造体２００に対する足場養生シート構造体１００を張設することができる。
【００３６】
第２の張設方法は、先に周回養生シート１２０を足場構造体２００に対して周回させて取り付けた後、係止養生シート１１０を周回養生シート１２０の内面側に沿わせつつ下方向に展開する張設方法である。
図７は、この第２の張設方法を簡単に示したものである。図７（ａ）に示すように、先に周回養生シート１２０を足場構造体２００の上部付近に周回させて取り付けた後、図７（ｂ）に示すように、係止養生シート１１０を周回養生シート１２０の内面側に沿わせつつ下方向に展開する。
この手順により、図７に示したような足場構造体２００に対する足場養生シート構造体１００を張設することができる。
【００３７】
ここで、係止養生シート１１０を周回養生シート１２０の内面または外面に沿わせるだけでなく、両者の上端同士を緊締するなど結びつけることができる。そうすれば、周回養生シート１２０により係止養生シート１１０の重量の一部を分散せしめることが可能となる。
第２の張設方法においても、周回養生シート１２０により足場構造体２００が外周方向からしっかりと緊締され、足場構造体の構造強度を向上させることができる。また、足場構造体２００において、被覆が必要な箇所を係止養生シート１１０により被覆せしめ、周回養生シート１２０により周回するように取り付ければ、風などにより係止養生シート１１０が波打ったり揺れたりするのを防止する効果も得られる。
【００３８】
次に、本考案の足場養生シート構造体１００への表面に印刷を施せる点については実施例１と同様である。
図８は、養生シート構造体１００の外表面に印刷を適用した場合の足場養生シート構造体１００の構成例を示す図である。図８に示す例では印刷の内容そのものは図示を省略している。
なお、実施例２の場合、周回養生シート１２０の一部と係止養生シート１１０の少なくとも一部が重なっているため、実際には凹凸があるが、養生シートの厚さがその面積に比べて十分に小さく、また、大面積であれば、比較的遠距離から視認される場合には凹凸はほとんど目立つことなく、あたかもあたかも１つの平面を形成するように印刷できる。
【実施例３】
【００３９】
実施例３として、周回養生シート１２０を複数設ける工夫について述べる。
実施例１の構成例では、周回養生シート１２０は足場構造体２００の最上部に１つ設ける例であるが、この実施例３は、周回養生シート１２０を複数設ける例である。個数は限定されないが、ここでは、足場構造体２００の最上部、中央部、下部に３つ設ける例として説明する。
【００４０】
図９は、実施例３にかかる本考案の係止養生シート１００を簡単に示す図である。図９に示すように、足場構造体２００を被覆する係止養生シート１１０に対して周回方向に複数の周回養生シート１２０が取り付けられたものとなっている。係止養生シート１１０が複数の周回養生シート１２０のそれぞれ沿わせて取り付けられている。図９の例では、足場構造体２００の最上部、中央部、下部に３か所に周回養生シート１２０が取り付けられたものとなっている。
【００４１】
このように、複数個所に周回養生シート１２０を取り付けることにより、係止養生シート１１０を上部、中部、底部の周回養生シート１２０それぞれの内面または外面に沿わせ、両者同士を緊締して結びつければ、３か所の周回養生シート１２０により係止養生シート１１０の重量の一部を分散せしめることが可能となる。
また、足場構造体２００において、３か所の周回養生シート１２０により周回するように取り付ければ、風などにより係止養生シート１１０が波打ったり揺れたりするのを防止する効果もさらに向上する。
【００４２】
なお、本考案の係止養生シート１００を表示媒体として利用する場合、係止養生シート１１０のみへの印刷だけでなく、周回養生シート１２０にも印刷を施し、周回養生シート１２０と係止養生シート１１０をまたがる形で印刷を行えば、大面積の表示が可能となる。
【００４３】
図１０は、実施例３にかかる本考案の係止養生シート１００の周回養生シート１２０と係止養生シート１１０をまたがる形で印刷を行った例を示す図である。図１０に示すように、実際には、周回養生シート１２０と係止養生シート１１０に分けて分散されて印刷された内容が、遠方から視認すると１つの大きなキャンバスに印刷された印刷物として視認できる。
【００４４】
以上、本考案の足場養生シートにおける好ましい実施例を図示して説明してきたが、本考案の技術的範囲を逸脱することなく種々の変更が可能であることは理解されるであろう。
【産業上の利用可能性】
【００４５】
本考案は、足場養生シートに適用可能である。ここで言う足場養生シートとしては、マンション構造体、ビルディング構造体、高速道路の橋脚や橋梁体、スタジアム構造物などの特殊構造体などの足場構造体を被覆するものが想定できる。
【符号の説明】
【００４６】
１００  足場養生シート
１１０  周回養生シート
１２０  係止養生シート
２００  足場構造体
３００  建物または構造物
【図１】
0003217936.tif 000003
【図２】
0003217936.tif 000004
【図３】
0003217936.tif 000005
【図４】
0003217936.tif 000006
【図５】
0003217936.tif 000007
【図６】
0003217936.tif 000008
【図７】
0003217936.tif 000009
【図８】
0003217936.tif 000010
【図９】
0003217936.tif 000011
【図１０】
0003217936.tif 000012
【手続補正書】
【提出日】平成30年7月11日(2018.7.11)
【手続補正１】
【補正対象書類名】実用新案登録請求の範囲
【補正対象項目名】全文
【補正方法】変更
【補正の内容】
【実用新案登録請求の範囲】
【請求項１】
建設中または修繕中の建物または構造物の外壁に取り付ける足場構造体の外表面に対して横方向に周回させて取り付けた少なくとも１つの周回養生シートと、前記足場構造体に対して縦方向に係止した少なくとも１つの係止養生シートを備えたことを特徴とする足場養生シート構造体。
【請求項２】
前記係止養生シートの表面に印刷を施し、前記足場構造体に取り付けた状態において被覆状態にある前記係止養生シートを表示媒体とした請求項１に記載の足場養生シート構造体。
【請求項３】
前記表示媒体に表示する前記印刷が、前記建物の完成外観である請求項２に記載の足場養生シート構造体。
【請求項４】
前記表示媒体に表示する前記印刷が、広告である請求項２に記載の足場養生シート構造体。
【請求項５】
前記足場構造体において被覆が必要な箇所に対して、前記周回養生シートと前記係止養生シートが重ならないように被覆せしめ、前記周回養生シートと前記係止養生シートのつなぎ目において両者を締結し、相互に重量の一部を分散せしめたことを特徴とする請求項１から４のいずれかに記載の足場養生シート構造体。
【請求項６】
前記足場構造体において被覆が必要な箇所に対して、前記周回養生シートの一部と前記係止養生シートの少なくとも一部が重なるように被覆せしめ、前記周回養生シートと前記係止養生シートを締結し、相互に重量の一部を分散せしめたことを特徴とする請求項１から４のいずれかに記載の足場養生シート構造体。
【請求項７】
前記周回養生シートが、前記足場構造体において上部付近に取り付けられたことを特徴とする請求項１から６のいずれかに記載の足場養生シート構造体。
【請求項８】
前記周回養生シートが複数取り付けられたものであり、前記係止養生シートが複数の前記周回養生シートの内面または外面に沿わせて取り付けられていることを特徴とする請求項１から６のいずれかに記載の足場養生シート構造体。